(57)【要約】【課題】  ペンライトの把持部において装飾を長期間保つことができるとともに、装飾に用いられる塗料による人体への影響を回避でき、かつ所望に応じて装飾を変更することができるペンライト用装飾具を提供することである。【解決手段】  把持部の一端に発光部カバー部材が取り付けられるペンライトに用いるペンライト用装飾具を対象とする。把持部の一端側（発光部寄り）に装飾シート部材を取り付け、この装飾シート部材を覆うように透明状保護部材を把持部に取り付ける。透明状保護部材の一部において光の発色を視認できるように構成することもできる。透明状保護部材が発光部カバー部材により係止するようにペンライトを構成してもよい。【選択図】  図１
2017139093.tif 000002
【特許請求の範囲】
【請求項１】
把持部の一端に発光部カバー部材が取り付けられるペンライトに用いるペンライト用装飾具であって、
前記把持部の一端側に取り付けられる装飾シート部材と、
前記装飾シート部材を覆うように前記把持部に取り付けられる透明状保護部材と、
を有することを特徴とするペンライト用装飾具。
【請求項２】
前記透明状保護部材の上端に上端縁部が設けられ、かつ、該透明状保護部材の下端に、前記上端縁部から取り込まれた光が視認される光視認部が設けられた請求項１に記載のペンライト用装飾具。
【請求項３】
前記把持部の前記装飾シート部材を取り付ける箇所の全部または一部が光が通過するように構成され、かつ、前記装飾シート部材の全部または一部が光が通過するよう構成され、該装飾シート部材が前記箇所に取り付けられる請求項１又は２に記載のペンライト用装飾具。
【請求項４】
請求項１〜３のいずれか一項に記載のペンライト用装飾具が前記把持部の一端側に取り付けられたペンライトであって、
前記把持部が前記透明状保護部材の一端を嵌め込む受容部を有し、
前記発光部カバー部材が前記透明状保護部材の他端を係止する係止部を有し、
前記受容部に前記透明状保護部材の一端が嵌め込まれた後、前記発光部カバー部材が前記把持部に装着されると前記係止部が前記透明状保護部材の他端を係止するペンライト。
【発明の詳細な説明】
【技術分野】
【０００１】
本発明は、コンサートや各種イベントなど（本明細書において、総称して「コンサート等」という）で主に観客や参加者が用いるペンライト、スティックライト、棒状のライトなどの発光器具（本明細書において、単に「ペンライト」と称する。本発明における「ペンライト」はこのような発光器具全般を指す。）の把持部における装飾に関する。
【背景技術】
【０００２】
近時、コンサート等の多様化に伴い、これらにおいて用いられるペンライトに様々なニーズが生じている。かかるニーズに応じ、これまで、高出力で高輝度のものや多数の色を発光できるもの（例えば特許文献１）、発光部の形状に趣向を凝らしたもの（例えば特許文献２）などが提案、開発されている。
【０００３】
これらの提案、開発は、主としてペンライトの本来の機能である発光に直接関係するものであったが、近時のニーズの多様化に鑑みると、今後は、発光に直接関係しない部分、特に持ち手部分であるペンライトの把持部などについても改良が必要となり、例えばその装飾等において様々な工夫を凝らす必要が生じていくことが予想される。
【０００４】
しかしながら、ペンライトは長い時間手で持って使用するものであり、長時間使用しても負担が最小限に抑えられるものである必要があるため、把持部は握り易いものでなければならない。また、ペンライトは曲に合わせて振るなどされることから、把持部は握り易いものでないと、手から離れ落下するなどの危険が高まる。のみならず、コンサートに持ち込めるペンライトの大きさは、主催者等により制限されるのが通常である。
【０００５】
そのため、把持部については上記の点などに基づく制限が課されており、把持部の基本的形状を一般的な筒状（円筒形状）にとどめ、手で握り易いサイズを保ちつつ、装飾としては、主に塗装を加えることによって行う、ということにならざるを得ない。その結果、把持部の塗装として、例えば金色や銀色のメッキを用いて目立たせたり、高級感を持たせたりするといったことで商品の差別化を図るほかなかった。
【０００６】
しかしながら、ペンライトの把持部は手との接触時間が長く、把持部に施された塗装は落ちやすくならざるを得ない。
【０００７】
更に、塗装にメッキを用いた場合、メッキにはニッケルが含まれており、これが溶けて体内に入り込むと金属アレルギーを引き起こすおそれがある。上記のとおりペンライトは長時間手で持って使用されるため、汗などでニッケルが溶ける可能性もあり得、かかる金属アレルギーの発生を回避する必要性が高い。
【０００８】
一方、上記とは別の問題として、把持部に一旦なされた塗装（メッキ塗装に限らない）は変更することが困難であるといった点があった。また、ペンライトを使用していくに伴い塗装が落ちたとしても、これを塗り直すといったことは通常行われない。
【０００９】
加えて、把持部に装飾を行う場合、従来、個々のペンライトの把持部に直接塗装している。そのため、ある色（例えば赤色）で装飾した把持部のペンライトの生産に余剰が生じる一方、他の色（例えば青色）で装飾した把持部のペンライトが品薄となったような場合、前者を後者に流用することができず、経済的に大きな損失が生じている。
【先行技術文献】
【特許文献】
【００１０】
【特許文献１】特許第５６０８８２７号
【特許文献２】特開２０１５−０２２８９５号
【発明の概要】
【発明が解決しようとする課題】
【００１１】
本発明は上記問題に鑑みてなされたものであり、ペンライトの把持部において装飾を長期間保つことができるとともに、装飾に用いられる塗料による人体への影響を回避でき、かつ所望に応じて装飾を変更することができるペンライト用装飾具を提供すること課題とする。
【課題を解決するための手段】
【００１２】
ペンライト把持部において特に手が長時間触れる中央部分は、把持部を握った際は手で隠れるため、装飾を施す意義が比較的低い。把持部において目に付きやすいのは実際に握る中央部分よりも上の部分であり、把持部においてはこの部分を装飾するのが効果的である。本発明はかかる観点を考慮に入れながら上記課題の解決を図るものである。
【００１３】
すなわち、上記課題を解決するため、本発明は、第１の側面として、把持部の一端に発光部カバー部材が取り付けられるペンライトに用いるペンライト用装飾具であって、前記把持部の一端側に取り付けられる装飾シート部材と、前記装飾シート部材を覆うように前記把持部に取り付けられる透明状保護部材と、を有することを特徴とするペンライト用装飾具を提供する。
第２の側面として、本発明は、前記透明状保護部材の上端に上端縁部が設けられ、かつ、該透明状保護部材の下端に、前記上端縁部から取り込まれた光が視認される光視認部が設けられた前述のペンライト用装飾具を提供する。
第３の側面として、本発明は、前記把持部の前記装飾シート部材を取り付ける箇所の全部または一部が光が通過するように構成され、かつ、前記装飾シート部材の全部または一部が光が通過するよう構成され、該装飾シート部材が前記箇所に取り付けられる前述のペンライト用装飾具を提供する。
第４の側面として、本発明は、前述のいずれかのペンライト用装飾具が前記把持部の一端側に取り付けられたペンライトであって、前記把持部が前記透明状保護部材の一端を嵌め込む受容部を有し、前記発光部カバー部材が前記透明状保護部材の他端を係止する係止部を有し、前記受容部に前記透明状保護部材の一端が嵌め込まれた後、前記発光部カバー部材が前記把持部に装着されると前記係止部が前記透明状保護部材の他端を係止するペンライトを提供する。
【発明の効果】
【００１４】
本発明によれば、装飾に用いられる塗料への接触を回避できるため、ペンライトの把持部に長期間損なわれない装飾を施すことができるとともに、装飾に用いられる塗料から人体が受ける影響を回避することができる。更に、所望に応じて把持部の装飾を変更することができる。
【図面の簡単な説明】
【００１５】
【図１】本発明の一実施形態を示す図であり、（Ａ）はペンライト用装飾具をペンライトに装着する前の状態を示す図であり、（Ｂ）は装着した状態を示す図である。
【図２】本発明の一実施形態にかかる装飾シート部材を示す図であり、（Ａ）は装飾面を示し、（Ｂ）は裏面に接着材を用いた場合（接着面）を示し、（Ｃ）は両端に保持手段を設けたものを示す図である。
【図３】本発明の一実施形態にかかる透明状保護部材を示す図である。（Ａ）は暈（ぼか）し部が設けられていないもの、（Ｂ）は暈し部が設けられているものを示す。
【図４】（Ａ）は、本発明の一実施形態において把持部に装飾シート部材を接触させた状態を示す図である。（Ｂ）は、把持部に設けられる当接部の一例を示す図である。（Ｃ）は、（Ｂ）の例に装飾シート部材を接触させた状態を示す図である。
【図５】図４（Ａ）の把持部に透明状保護部材を装着した状態を示す図である。
【図６】本発明の一実施形態において、把持部に受容部が設けられ、発光部カバー部材に係止部が設けられた例を示す図であり、発光部カバー部材、透明状保護部材を把持部に装着する前の状態を示す図である。
【図７】図６の例において、発光部カバー部材、透明状保護部材を把持部に装着した状態を示す図である。
【図８】本発明の他の実施形態にかかる図であり、透明状保護部材の異なる形態を示す図である。（Ａ）は暈し部を設けない例、（Ｂ）は暈し部を設けた場合の例である。
【図９】本発明の更に他の実施形態を示す図である。
【図１０】本発明の取付け補助部材の一例を示す図である。
【図１１】図１０に示す取付け補助部材を用いる場合の、本発明に係るペンライト用装飾具を把持部に装着する前の状態を示す図である。
【図１２】本発明の更に他の実施形態を示す図である。
【発明を実施するための形態】
【００１６】
以下、本発明のペンライト用装飾具に係る実施形態を、図面を参照しながら具体的に説明する。
【００１７】
（実施形態１）
本発明のペンライト用装飾具は、把持部の一端に発光部カバー部材（プラスチック等を素材とする）が取り付けられるペンライトに用いられる。通常、把持部は略円筒形であり、ＬＥＤ等により構成される光源部、光源部の発光を制御する制御手段、乾電池やボタン電池等を収納する電池収納部などが設けられる。
【００１８】
本発明のペンライト用装飾具１は、装飾（図では装飾の一例が「ＡＢＣＤＥ」で示されている）が施された面を有する装飾シート部材２と、この装飾シート部材がペンライトの把持部（以下単に「把持部」ともいう。）４に取り付けられたときにこれを覆う透明状保護部材３を有する。これらを把持部４に取り付ける前の状態の一例を図１（Ａ）に示し、把持部４に取り付けてから更に発光部カバー部材５を把持部に取り付けた状態の一例を図１（Ｂ）に示す。
【００１９】
図２に装飾シート部材の一例を示す。装飾シート部材には、プラスチック、紙その他の素材を適宜用いることができる。装飾シート部材は、一方の面（表面）６に装飾が現れる（装飾面、図２（Ａ）参照）。装飾には、塗料、メッキ等を用いることも可能である。
【００２０】
装飾シート部材の他方の面（裏面）７は、特に細工等を施さずに単に把持部上部に接する接触面となるように構成することができる。
【００２１】
ただし、裏面にも装飾が現れるようにしてもよく、これによれば、装飾シート部材を裏返すことで表面とは別の装飾とすることが可能となる。
【００２２】
また、裏面に接着材を塗布し、接着面となるように構成してもよい（図２（Ｂ）参照）。この場合の接着材は特に限定されず、一般に用いられるものを用いることができる。貼付した後も剥がすのが比較的容易な接着材を用いると、シートの張り替えによる装飾の変更が容易となるため、好適である。
【００２３】
透明状保護部材の一例を図３（Ａ）に示す。透明状保護部材は、ペンライトの把持部に取り付けられた装飾シート部材を覆い、保護するものである。把持部上部の取り付けられる箇所の形状に対応した略円筒状の形状を有する。透明状保護部材は、装飾面に施された装飾が視認されるように形成する。ここで、「装飾面に施された装飾が視認される」とは鮮明に視認される場合のみならず、ぼやけて視認されたり、不鮮明に視認されたり、装飾の一部が視認されたりするような場合も含まれる。透明状保護部材を透明となるように構成すれば装飾が鮮明に視認されるものとなり、例えば半透明となるように構成すれば不鮮明に視認されるものとなり、一部のみを透明ないし半透明とすれば、その部分が鮮明に又は不鮮明ながら視認されるものとなる。本発明における「透明状保護部材」には、全体が透明である場合のほか、それ以外の上記のような場合も含まれるものとする。なお、透明状保護部材の材質は特に限定されず、プラスチック等を用いることができる。
【００２４】
かかる本発明のペンライト用装飾具を以下のようにしてペンライトの把持部に取り付けて使用する。まず、図４（Ａ）に示されるように、装飾シート部材２につき接触面をペンライトの把持部４の一端側（発光部側）の所定の取付け箇所（例えば図１において符号１７で示される箇所）に接触させ、装飾シート部材を把持部に取り付けるための位置決めを行う。
【００２５】
ここで、装飾シート部材の位置決めを容易としこれを取り付け易くするために、把持部に、装飾シート部材の端部を当てる当接部を設けるのが望ましい。図４（Ｂ）に、かかる当接部の一例を示す。例えば装飾シート部材２の端部の一方を、凸状に形成された当接部８に当てながら、装飾シート部材２を把持部４の上部（装飾シート部材を取り付ける場所）に巻くようにして接触させる。この場合、装飾シート部材２は把持部を正面から見ると図４（Ａ）のように示され、背面から見ると図４（Ｃ）のように示される。
【００２６】
当接部を設ける場合は把持部の長手方向に伸びるように設けるが、例えば図４（Ｂ）に示すように、装飾シート部材が取付け箇所１７に収まるように凸部を２カ所（符号８で示されている）設けて当接部を構成すると、装飾シート部材の位置決め、取り付けがより一層容易となる。なお、当接部を設けないことも可能である。
【００２７】
装飾シート部材の裏面に接着材が塗布され接着面が構成されている場合（図２（Ｂ）参照）は、接着面を把持部上部の所定の位置に貼付し、装飾シート部材を把持部に取り付ける。
【００２８】
次に、図５に示されるように、装飾シート部材２を把持部４に接触させた状態で、装飾シート部材２を覆うようにして、透明状保護部材３を把持部４の上部に取り付ける。
【００２９】
透明状保護部材が把持部上部に取り付けられる際、装飾シート部材の両端が折れたり捲れたりするおそれがある。そこで、装飾シート部材に、これらを防止する両端保持部を設けてもよい。かかる両端保持部を形成する手段としては、例えば、装飾シート部材の両端に厚みを持たせることが考えられる。更に、図２（Ｃ）に示されるように、両端を若干伸長させ切れ込みを設けるようにして両端保持部９を構成してもよい。この場合、両端側を裏面に向かって折り曲げると、この部分は元に戻ろうとして反発し、あるいは厚みができるため、透明状保護部材によって装飾シート部材の両端が押さえられやすいものとなる。
【００３０】
透明状保護部材を把持部に取り付けた際、装飾シート部材の端部や把持部に設けられた当接部が目を引いてしまう可能性がある。そこで、これらの端部や当接部が外側からみて不明瞭となるように、透明状保護部材に、把持部に取り付けられた際に装飾シート部材の端部や把持部の当接部が対応する位置に、暈し部を設けることもできる。暈し部は、例えば複数の筋状の切れ込みを入れることで形成することができる。
【００３１】
この一例として、図３（Ｂ）において暈し部１０が設けられた透明状保護部材を示す。図３（Ｂ）の透明状保護部材は、図４（Ｂ）（Ｃ）に示される当接部が設けられた把持部に用いられる場合の例である。すなわち、図４（Ｂ）（Ｃ）の例では、把持部に、２つの凸部が隙間をもって配されることにより構成される当接部８が設けられており、図３（Ｂ）の暈し部１０は、透明状保護部材が把持部に装着された時に、かかる当接部８と、それぞれに当てられる装飾シート部材の両端部とが不明瞭になるように透明状保護部材に設けられる。
【００３２】
かかる暈し部により、通常目立つのが好ましくない部分（装飾シート部材の端部など）を不明瞭にし（あるいは暈し）、これを目立たないものとすることができる。
【００３３】
なお、上記図３（Ｂ）の例において、透明状保護部材は、当接部８の隙間１１に対応する箇所１２（透明状保護部材の内側）に凸部を設け、透明状保護部材を把持部に取り付けたときにこの隙間１１を埋めるようにしてもよい。当接部８の隙間１１を、上方（発光部カバー部材が取り付けられる側）から下方に向けて若干窄まるように構成し、透明状保護部材の上記箇所１２の凸部もこれに嵌るように上方（発光部カバー部材が取り付けられる側）から下方に向けて若干窄まるように構成すると、隙間１１に透明状保護部材の当該凸部を挿入し易くなるとともに、いわばレールの間に凸部を挿入しながら透明状保護部材を把持部に取り付けることができることとなるため、取り付けが容易となる。
【００３４】
本発明のペンライト用装飾具１を把持部４に取り付けると、装飾シート部材２の装飾面６に施された装飾が透明状保護部材３を介して視認される（図５参照）。
【００３５】
一方、透明状保護部材３により、装飾シート部材の装飾面６が保護されるため、かかる把持部への装飾が損なわれることが防止される。また、透明状保護部材３により、装飾面への手など人体の接触が禁止されることとなるため、装飾に用いられた塗料から人体が影響を受けることを回避することができる。
【００３６】
更に、透明状保護部材を取り付け・取り外し自在又は可能に構成することにより、装飾シート部材を取り替えることによって把持部の装飾を容易に変更することができる。したがって、ペンライトの製造・出荷過程においては、例えば装飾シート部材は出荷直前まで把持部に貼付せず、販売数や在庫に応じて需要の多い装飾の装飾シート部材を貼付して出荷することにより、ペンライトの効率的な製造、出荷を行うことが可能となる。
【００３７】
また、把持部は共通のものを製造し、装飾シート部材により装飾を変更することが可能となるため、ペンライト製造における無駄を省くことができる。すなわち、従来のように、ある色（例えば赤色）で装飾した把持部のペンライトの生産に余剰が生じる一方、他の色（例えば青色）で装飾した把持部のペンライトが品薄となったような場合、前者は廃棄し、後者を新たに製造せざるを得ないといったような経済的な損失を回避することができる。近時は、例えば複数のメンバーからなるアーティストグループにおいて、構成メンバーが各自イメージカラーを持ち、消費者は好みのメンバーの色のペンライトを購入するといった事態が想定されるため、発光部の構成（どのような発光色でどの程度の明るさで発光するかなど）が同じであっても、把持部の装飾によってペンライトの販売数が大きく異なる可能性があり、本発明によるこの点の効果は顕著である。
【００３８】
加えて、ペンライト購入者（需要者）においても、装飾シート部材を張り替えることにより装飾を自由に変更することができ（例えば好みのアーティストの名前が付された装飾シート部材などに張り替えるなど）、ペンライトをいわばカスタマイズすることが可能となる。本発明はかかる点で需要者のニーズに応えることもできる。
【００３９】
更に、近時は高出力のペンライトが開発されるに至っており、それらのペンライトにおいては、発光時、ＬＥＤ等の光源及びその周辺は高温となり、把持部もそれらの周辺である上部は温度が上昇する可能性がある。本発明によれば、透明状保護部材が把持部上部にペンライト使用者の手の接触を禁止するため、温度上昇によるリスク、例えば低温火傷などを防止することができる。
【００４０】
ところで、透明状保護部材は把持部に恒久的に取り付けるように構成することも可能であるが、上記のように、取り外し可能となるような構造にすると、装飾を変更できることとなるので好適である。
【００４１】
この構造の一例として、例えば透明状保護部材の内側の一部に螺子状の取付け部を設け、これを取り付ける把持部の上部（発光部側）にもこれに対応する螺子状の取付け部を設けることにより、前者を後者にねじ込んで取り付けるようにすること（図示せず）も考えられる。これによれば、透明状保護部材が把持部に取り付けられた際、外れ難くなるとともに、必要に応じ螺子による係合を緩めることで透明状保護部材を把持部から取り外すことも可能となる。
【００４２】
しかしながら、この取り付け構造のより好ましい例として、図６（装飾シート部材の図示は省略している）に示すように、把持部４に透明状保護部材３の一端側（発光部カバー部材と逆側、ペンライトの下方寄り）３１を嵌め込む受容部１３を設ける。そして、発光部カバー部材５に透明状保護部材の他端（発光部カバー部材側、ペンライトの上寄り）３２を係止する係止部１４を設け、この係止部が、前記透明状保護部材の他端３２を係止するように構成するのが好適である。
【００４３】
把持部に設けられる受容部は、例えば把持部全周に亘り鍔状に張り出すもの（鍔状張り出し部）とする。この鍔状張り出し部（受容部１３）に外側から透明状保護部材の一端側３１が嵌め込まれて所定の位置でとどまり、それよりも下方にずれないように構成する。
【００４４】
係止部１４は、下方（把持部寄り）の所定の位置に発光部カバー部材５の全周に亘り鍔状に張り出すように形成することができる。
【００４５】
発光部カバー部材と把持部は、従来どおり、発光部カバー部材の下部外側を、把持部上部内側にねじ込んで（これらは雄螺子状と雌螺子状に構成されている）装着するものでよい。
【００４６】
受容部１３に透明状保護部材の一端側３１を嵌め込んで透明状保護部材３を把持部４に取り付け、その状態で、発光部カバー部材５を把持部４にねじ込んで装着する。これらの取付け及び装着がなされた状態を図７に示す。透明状保護部材の一端側３１は受容部１３に篏合し、透明状保護部材が把持部４の下方に抜け落ちることがない。一方、図７に示されるように透明状保護部材の他端３２は発光部カバー部材の係止部１４によって係止される。これにより、発光部カバー部材５が把持部４に固定されると同時に、透明状保護部材３が把持部４に固定される。
【００４７】
このように構成すれば、発光部カバー部材と把持部の装着につき従来の構成を用いたまま、透明状保護部材を把持部に確実に固定することができ、ペンライト使用時にこれが誤って外れるのを防ぐことができる。反面、透明状保護部材の取付け自体は、把持部に単に嵌め込むだけであり（その後、上から発光部カバー部材（の係止部）で押さえつけられる）、発光部カバー部材を把持部から取り外せば、透明状保護部材も把持部からそのまま取り外すことができるので、透明状保護部材と把持部の着脱が極めて容易となる。
【００４８】
透明状保護部材の上端（他端３２）において、縁（へり）を設け、発光部カバー部材の係止部に係合し易くするように構成してもよい。図６においては、透明状保護部材の他端３２に、円周に沿い内側に向けた縁（へり）が設けられた例が示されている。
【００４９】
（実施形態２）
実施形態２及び３は、上記実施形態１を元にしながら、更に、光によって把持部を装飾する例にかかるものである。
【００５０】
図８に示すように、透明状保護部材の上端（他端３２）において、全周に亘り縁（上端縁部１５）を設け、かつ、透明状保護部材の下端において、全周に亘り光視認部１６を設ける。上端縁部１５は、前述の発光部カバー部材の係止部１４に係合し易くするための縁と兼ねるように形成することもできる。光視認部１６は、透明状保護部材の下端を、例えば全周に亘って丸みが帯びるように縁取りするなどして、光が取り込まれたときにこれが屈折するように（又は反射するように）構成する。
【００５１】
上端縁部１５はＬＥＤなどペンライトの光源の近くに配置されるため、かかる構成によると、光源から発せられた光（例えば赤色）が上端縁部１５から取り込まれ、透明状保護部材の下端に向かい、光視認部１６で屈折ないし反射する。すると、光視認部１６が発光色である赤色に視認される。すなわち、例えば透明状保護部材全体を透明となるように構成した場合、把持部自体を透明その他透光性ある材料で形成することなく、把持部の、発光部（把持部上方付近）からある程度離れた位置において、光（ここでは赤色）が把持部全周に亘ってリング状に視認される。よって、かかる光を把持部４の装飾として用いることができる。
【００５２】
なお、図８（Ａ）は暈し部を設けない場合の一例を示し、図８（Ｂ）は暈し部を設ける場合の一例を示すものであるが、いずれの場合も、上記効果（光視認部１６がペンライト光源の発光色により視認される）が得られる。
【００５３】
（実施形態３）
把持部上部の、装飾シート部材が取り付けられる箇所（図１において符号１７で示される箇所等）を、光が通過するように、例えば透明ないし半透明など透光性を有するように形成し、かつ、装飾シート部材に切抜き部分を設け、かかる装飾シート部材を、前記光が通過するようにした取付け箇所１７に取り付けるように構成する。あるいは、装飾シート部材において切抜き部分を設ける代わりに、透明フィルムに文字部分や模様のみ残して印刷する（文字部分等のみ透明抜き状態にして印刷する）などして、文字部分等を光が通過するように形成し、かかる装飾シート部材を、前記光が通過するようにした取付け箇所１７に取り付けるように構成する。このように切抜き部分や透明抜き状態とした部分を文字や模様が形成されるようにすると、ペンライトを発光させたとき、切抜き部分や透明抜き状態とした部分から光が通過し、これらの文字等が発光したように視認される。一例として、図９において、把持部上部を上記のように形成し、装飾「ＡＢＣＤＥ」の部分を透明抜き状態にした装飾シート部材をこれに取り付けた状態の図を示す。透明抜き状態にすれば、「Ａ」「Ｏ」「Ｐ」「Ｒ」のような中空洞文字を形成することが可能となる。
【００５４】
把持部の内部にはＬＥＤ等が配置されており、これらが外側から視認されることは美観上好ましくなく、従来把持部はこれらを隠す役割も果たしていた。これに対し、本発明を上記のように構成すると、配置されているレンズなどの部材があまり目に触れることなく、装飾シート部材の切り抜かれた部分や透明抜き状態とした部分を通して光が視認されるようにすることができる。
なお、例えば装飾シート部材を色付きの半透明とすると、ペンライト光源の発光色と混色されることによりペンライト光源の発光色とは異なる色の光でこの半透明の部分が視認されるようにすることもできる。また、装飾シート部材は複数枚重ねて取り付けるように構成することも可能である（なお装飾シート部材を複数枚重ねるように構成することは他の実施形態でも可能である）。
【００５５】
以上のように、本発明の実施形態２及び３によれば、把持部を（造形や塗装によって装飾するのではなく）光によって装飾するという、ペンライト把持部において全く新たな装飾を実現、提供することが可能となる。
【００５６】
実施形態２と３は個々に実施することができるが、組み合わせて実施することも可能である。図９は、図８に示される透明状保護部材を用いた場合が示されている。従って、この図の例では、透明抜き状態とした装飾部分「ＡＢＣＤＥ」、上端縁部１５及び屈折部１６が発色しているように視認される。
【００５７】
（実施形態４）
本実施形態は、把持部の光による装飾について更に別の形態を示すものである。実施形態２（図８参照）と同様、透明状保護部材の上端（他端３２）において、全周に亘り縁（上端縁部１５）を設けるとともに、透明状保護部材の側面において、光を屈折させる多数の細かい切れ込みを設ける。光源から発せられた光（例えば赤色）が上端縁部１５から取り込まれ、透明状保護部材の下端に向かい、この切れ込みにおいて屈折する。そのため、複数の切れ込みが文字や模様を形成するように構成すると、その文字や模様が光により視認される。複数切れ込みが「ＡＢＣＤＥ」の文字を形成するように構成した透明状保護部材を図１２（Ａ）に示し、この透明状保護部材をペンライトに装着しペンライトを発光させた状態を図１２（Ｂ）に示す。ペンライト発光時、図１２において「ＡＢＣＤＥ」で示された部分が光により視認される。
【００５８】
（変形例）
実施形態１においては装飾シート部材を把持部に直接取り付けているが、本実施形態は、これを直接取り付けるのではなく、別途取付け補助部材を用いる場合にかかる。この取付け補助部材１８の一例を図１０に示す。
【００５９】
取付け補助部材１８は、外側を透明状保護部材３によって覆われるものであるため、透明補助部材よりも小さい円筒形とする。取付け補助部材の材質、色などは特に制限されない。
【００６０】
図１１に示すように、装飾シート部材２を取付け補助部材１８に貼付し、この取付け補助部材を把持部４の取付け箇所１７に取り付けるように構成する。
【００６１】
これによれば、装飾シート部材が着脱しやすいものとなるため、装飾の変更をより一層容易なものとすることができる。
【００６２】
この場合、把持部の受容部１３にあたる部分を、取付け補助部材に設けてもよい（図１０において符号１９で示される部分）。これにより、取付け補助部材においても受容部と同じ効果が得られる。また、取付け補助部材１８の上端は、発光部カバー部材の係止部１４により係止されるように構成することが可能である。その他、上述の実施形態を適宜、ここでも適用することが可能である。一例として、図１１では、取付け補助部材１８に当接部を設け、透明状保護部材３に暈し部を設けた場合が示されている。
【００６３】
取付け補助部材は把持部に装着された後に把持部の下方に向かって抜け落ちることのないように適宜構成する。例えば、把持部４の受容部１３の上面（リング状に張り出した部分）が取付け補助部材１８の下端面２０（リング状）を受けるように構成する。
【００６４】
なお、取付け補助部材を用いる場合は、取付け補助部材に直接装飾を施し、装飾シート部材に代えることもできる。
【産業上の利用可能性】
【００６５】
本発明によれば、ペンライトの把持部の装飾において、従来の直接塗料を塗布する方法に代え、着脱可能な装飾シート部材とこれを覆う透明状保護部材を用いるため、把持部における装飾を長期間保つことができるとともに、装飾に用いられる塗料による人体への影響を回避できる。
【００６６】
加えて、販売数や在庫に応じ、需要の多い装飾が施された装飾シート部材を把持部に貼付して出荷することにより、ペンライトの効率的な製造、出荷を行うことが可能となる。
【００６７】
また、把持部は共通のものを製造し、装飾シート部材により装飾を変更することが可能となるため、ペンライト製造における無駄を省くことができる。
【００６８】
しかも、購入者においても把持部の装飾を自在に変更することが可能となる。
【００６９】
従って、本発明は当業界に多くの貢献をもたらすことができるものであり、産業上の利用可能性は極めて高い。
【符号の説明】
【００７０】
１  ペンライト用装飾具
２  装飾シート部材
３  透明状保護部材
４  ペンライトの把持部
５  発光部カバー部材
６  装飾シート部材の表面（装飾面）
７  装飾シート部材の裏面（接触面）
８  当接部
９  両端保持部
１０  暈し部
１１  当接部８の隙間
１２  隙間１１に対応する箇所
１３  受容部
１４  係止部
１５  上端縁部
１６  光視認部
１７  取付け箇所
１８  取付け補助部材
１９  受容部
２０  取付け補助部材の下端面
３１  透明状保護部材の一端側
３２  透明状保護部材の他端
【図１】
2017139093.tif 000003
【図２】
2017139093.tif 000004
【図３】
2017139093.tif 000005
【図４】
2017139093.tif 000006
【図５】
2017139093.tif 000007
【図６】
2017139093.tif 000008
【図７】
2017139093.tif 000009
【図８】
2017139093.tif 000010
【図９】
2017139093.tif 000011
【図１０】
2017139093.tif 000012
【図１１】
2017139093.tif 000013
【図１２】
2017139093.tif 000014
【手続補正書】
【提出日】平成28年8月4日(2016.8.4)
【手続補正１】
【補正対象書類名】特許請求の範囲
【補正対象項目名】全文
【補正方法】変更
【補正の内容】
【特許請求の範囲】
【請求項１】
把持部の一端に発光部カバー部材が取り付けられるペンライトに用いるペンライト用装飾具であって、
前記把持部の一端側に取り付けられる装飾シート部材と、
前記装飾シート部材を覆うように前記把持部に取り付けられる透明状保護部材と、
を有し、
前記透明状保護部材の上端に上端縁部が設けられ、かつ、該透明状保護部材の下端に、前記上端縁部から取り込まれた光が視認される光視認部が設けられたことを特徴とするペンライト用装飾具。
【請求項２】
把持部の一端に発光部カバー部材が取り付けられるペンライトに用いるペンライト用装飾具であって、
前記把持部の一端側に取り付けられる装飾シート部材と、
前記装飾シート部材を覆うように前記把持部に取り付けられる透明状保護部材と、
を有し、
前記把持部の前記装飾シート部材を取り付ける箇所の全部または一部が光が通過するように構成され、かつ、前記装飾シート部材の全部または一部が光が通過するよう構成され、該装飾シート部材が前記箇所に取り付けられることを特徴とするペンライト用装飾具。
【請求項３】
前記把持部の前記装飾シート部材を取り付ける箇所の全部または一部が光が通過するように構成され、かつ、前記装飾シート部材の全部または一部が光が通過するよう構成され、該装飾シート部材が前記箇所に取り付けられる請求項１に記載のペンライト用装飾具。
【請求項４】
把持部の一端に発光部カバー部材が取り付けられるペンライトに用いるペンライト用装飾具であって、
前記把持部の一端側に取り付けられる装飾シート部材と、
前記装飾シート部材を覆うように前記把持部に取り付けられる透明状保護部材と、
を有し、
前記透明状保護部材の上端に上端縁部が設けられ、かつ、該透明状保護部材の側面に切れ込みが設けられ、前記上端縁部から取り込まれた光が前記切れ込みにより屈折されることを特徴とするペンライト用装飾具。
【請求項５】
請求項１〜４のいずれか一項に記載のペンライト用装飾具が前記把持部の一端側に取り付けられたペンライトであって、
前記把持部が前記透明状保護部材の一端を嵌め込む受容部を有し、
前記発光部カバー部材が前記透明状保護部材の他端を係止する係止部を有し、
前記受容部に前記透明状保護部材の一端が嵌め込まれた後、前記発光部カバー部材が前記把持部に装着されると前記係止部が前記透明状保護部材の他端を係止するペンライト。
【手続補正２】
【補正対象書類名】明細書
【補正対象項目名】００１３
【補正方法】変更
【補正の内容】
【００１３】
すなわち、上記課題を解決するため、本発明は、第１の側面として、把持部の一端に発光部カバー部材が取り付けられるペンライトに用いるペンライト用装飾具であって、前記把持部の一端側に取り付けられる装飾シート部材と、前記装飾シート部材を覆うように前記把持部に取り付けられる透明状保護部材と、を有し、前記透明状保護部材の上端に上端縁部が設けられ、かつ、該透明状保護部材の下端に、前記上端縁部から取り込まれた光が視認される光視認部が設けられたことを特徴とするペンライト用装飾具を提供する。
第２の側面として、本発明は、把持部の一端に発光部カバー部材が取り付けられるペンライトに用いるペンライト用装飾具であって、前記把持部の一端側に取り付けられる装飾シート部材と、前記装飾シート部材を覆うように前記把持部に取り付けられる透明状保護部材と、を有し、前記把持部の前記装飾シート部材を取り付ける箇所の全部または一部が光が通過するように構成され、かつ、前記装飾シート部材の全部または一部が光が通過するよう構成され、該装飾シート部材が前記箇所に取り付けられることを特徴とするペンライト用装飾具を提供する。
第３の側面として、本発明は、前記把持部の前記装飾シート部材を取り付ける箇所の全部または一部が光が通過するように構成され、かつ、前記装飾シート部材の全部または一部が光が通過するよう構成され、該装飾シート部材が前記箇所に取り付けられる前述のペンライト用装飾具を提供する。
第４の側面として、本発明は、把持部の一端に発光部カバー部材が取り付けられるペンライトに用いるペンライト用装飾具であって、前記把持部の一端側に取り付けられる装飾シート部材と、前記装飾シート部材を覆うように前記把持部に取り付けられる透明状保護部材と、を有し、前記透明状保護部材の上端に上端縁部が設けられ、かつ、該透明状保護部材の側面に切れ込みが設けられ、前記上端縁部から取り込まれた光が前記切れ込みにより屈折されることを特徴とするペンライト用装飾具を提供する。
第５の側面として、本発明は、前述のいずれかのペンライト用装飾具が前記把持部の一端側に取り付けられたペンライトであって、前記把持部が前記透明状保護部材の一端を嵌め込む受容部を有し、前記発光部カバー部材が前記透明状保護部材の他端を係止する係止部を有し、前記受容部に前記透明状保護部材の一端が嵌め込まれた後、前記発光部カバー部材が前記把持部に装着されると前記係止部が前記透明状保護部材の他端を係止するペンライトを提供する。
【手続補正書】
【提出日】平成28年11月10日(2016.11.10)
【手続補正１】
【補正対象書類名】特許請求の範囲
【補正対象項目名】全文
【補正方法】変更
【補正の内容】
【特許請求の範囲】
【請求項１】
把持部の一端に発光部カバー部材が取り付けられるペンライトに用いるペンライト用装飾具であって、
前記把持部の一端側に取り付けられる装飾シート部材と、
前記装飾シート部材を覆うように前記把持部に取り付けられる透明状保護部材と、
を有し、
前記透明状保護部材の上端に上端縁部が設けられ、かつ、該透明状保護部材の下端に、前記上端縁部から取り込まれた光が視認される光視認部が設けられたことを特徴とするペンライト用装飾具。
【請求項２】
把持部の一端に発光部カバー部材が取り付けられるペンライトに用いるペンライト用装飾具であって、
前記把持部の一端側に取り付けられる装飾シート部材と、
前記装飾シート部材を覆うように前記把持部に取り付けられる透明状保護部材と、
を有し、
前記把持部の前記装飾シート部材を取り付ける箇所の全部または一部が光が通過するように構成され、かつ、前記装飾シート部材の全部または一部が光が通過するよう構成され、該装飾シート部材が前記箇所に取り付けられることを特徴とするペンライト用装飾具。
【請求項３】
前記把持部の前記装飾シート部材を取り付ける箇所の全部または一部が光が通過するように構成され、かつ、前記装飾シート部材の全部または一部が光が通過するよう構成され、該装飾シート部材が前記箇所に取り付けられる請求項１に記載のペンライト用装飾具。
【請求項４】
請求項１〜３のいずれか一項に記載のペンライト用装飾具が前記把持部の一端側に取り付けられたペンライトであって、
前記把持部が前記透明状保護部材の一端を嵌め込む受容部を有し、
前記発光部カバー部材が前記透明状保護部材の他端を係止する係止部を有し、
前記受容部に前記透明状保護部材の一端が嵌め込まれた後、前記発光部カバー部材が前記把持部に装着されると前記係止部が前記透明状保護部材の他端を係止するペンライト。
【手続補正２】
【補正対象書類名】明細書
【補正対象項目名】００１３
【補正方法】変更
【補正の内容】
【００１３】
すなわち、上記課題を解決するため、本発明は、第１の側面として、把持部の一端に発光部カバー部材が取り付けられるペンライトに用いるペンライト用装飾具であって、前記把持部の一端側に取り付けられる装飾シート部材と、前記装飾シート部材を覆うように前記把持部に取り付けられる透明状保護部材と、を有し、前記透明状保護部材の上端に上端縁部が設けられ、かつ、該透明状保護部材の下端に、前記上端縁部から取り込まれた光が視認される光視認部が設けられたことを特徴とするペンライト用装飾具を提供する。
第２の側面として、本発明は、把持部の一端に発光部カバー部材が取り付けられるペンライトに用いるペンライト用装飾具であって、前記把持部の一端側に取り付けられる装飾シート部材と、前記装飾シート部材を覆うように前記把持部に取り付けられる透明状保護部材と、を有し、前記把持部の前記装飾シート部材を取り付ける箇所の全部または一部が光が通過するように構成され、かつ、前記装飾シート部材の全部または一部が光が通過するよう構成され、該装飾シート部材が前記箇所に取り付けられることを特徴とするペンライト用装飾具を提供する。
第３の側面として、本発明は、前記把持部の前記装飾シート部材を取り付ける箇所の全部または一部が光が通過するように構成され、かつ、前記装飾シート部材の全部または一部が光が通過するよう構成され、該装飾シート部材が前記箇所に取り付けられる前述のペンライト用装飾具を提供する。
第４の側面として、本発明は、前述のいずれかのペンライト用装飾具が前記把持部の一端側に取り付けられたペンライトであって、前記把持部が前記透明状保護部材の一端を嵌め込む受容部を有し、前記発光部カバー部材が前記透明状保護部材の他端を係止する係止部を有し、前記受容部に前記透明状保護部材の一端が嵌め込まれた後、前記発光部カバー部材が前記把持部に装着されると前記係止部が前記透明状保護部材の他端を係止するペンライトを提供する。